(57)【特許請求の範囲】
【請求項１】
被写体の画像データを撮像する撮像手段と、
所定のアクションと宛先アドレスとを対応付けた登録情報を格納する記憶手段と、
前記撮像手段の動作中に前記所定のアクションが実施されたことに応じて、前記撮像手段に対して当該撮像手段が撮像している画像データを前記記憶手段が記録するように制御すると共に、前記所定のアクションに対応付けて前記登録情報に登録される宛先アドレスを宛先として設定し、前記記録された画像データを添付した電子メールを作成する制御手段と
を備え、
送信相手の写真を特定キーのアイコンとして使用できるようにした通信装置であって、
前記制御手段は、特定キーとメールアドレスとを対応付けた特定キー登録情報の本文に複数文登録し、複数の本文を読み出し、いずれかをランダムに新規メールに設定するかまたは、循環的にいずれかを選択して設定する通信装置。
【請求項２】
前記制御手段は、特定キーが押下されたことを、前記所定のアクションとして検出する請求項１記載の通信装置。
【請求項３】
前記制御手段は、特定キーの名称が音声入力されたことを、前記所定のアクションとして検出する請求項１記載の通信装置。
【請求項４】
前記制御手段は、実施された前記所定のアクションに宛先アドレスが対応付けられていない場合、前記撮像手段に対して当該撮像手段が撮像している画像データの前記記憶手段による記録を禁止する請求項１記載の通信装置。
【請求項５】
前記制御手段は、実施された前記所定のアクションに宛先アドレスが対応付けられていない場合、当該所定のアクションに対応する宛先アドレスの入力を受け付ける請求項１記載の通信装置。
【請求項６】
表示手段をさらに含み、
前記制御手段は、前記特定キーが押下されている間、前記撮像手段により撮像される画像データを前記表示手段に表示する請求項２記載の通信装置。
【請求項７】
前記記憶手段は、前記宛先アドレスと対応付けられた少なくとも１つの本文および少なくとも１つのタイトルをさらに含む前記登録情報を格納し、
前記制御手段は、前記宛先アドレスを宛先として作成した電子メールに、前記少なくとも１つの本文のいずれか、および前記少なくとも１つのタイトルのいずれかを設定する請求項１ないし請求項６のいずれか１項記載の通信装置。
【請求項８】
前記記憶手段は、前記宛先アドレスと対応付けられた、電子メール自動送信のオン設定またはオフ設定をさらに含む前記登録情報を格納し、
前記制御手段は、前記電子メール自動送信がオン設定である場合、前記宛先アドレスを宛先として設定された電子メールを自動送信する請求項１ないし請求項７のいずれか１項記載の通信装置。
【請求項９】
前記記憶手段は、前記宛先アドレスと対応付けられた画像情報をさらに含む前記登録情
報を格納し、
前記制御手段は、前記撮像手段により記録された画像データを、前記画像情報に適合するように修正した画像データを添付した電子メールを作成する請求項１ないし請求項８のいずれか１項記載の通信装置。
【請求項１０】
前記記憶手段は、前記宛先アドレスと対応付けられたスタンプ画像データをさらに含む前記登録情報を格納し、
前記制御手段は、前記撮像手段により記録された画像データに、前記スタンプ画像データを重ね合わせた画像データを添付した電子メールを作成する請求項１ないし請求項９のいずれか１項記載の通信装置。
【請求項１１】
所定のアクションと宛先アドレスとを対応付けた登録情報を記憶手段に記憶し、
被写体の画像データを撮像する撮像手段の動作中に前記所定のアクションが実施されたことに応じて、前記撮像手段に対して当該撮像手段が撮像している画像データを前記記憶手段が記録するように制御すると共に、当該所定のアクションに対応付けて前記登録情報に登録される宛先アドレスを宛先として設定し、前記記録された画像データを添付した電子メールを作成し、
送信相手の写真を特定キーのアイコンとして使用するとともに特定キーとメールアドレスとを対応付けた特定キー登録情報の本文に複数文登録し、複数の本文を読み出し、いずれかをランダムに新規メールに設定するかまたは、循環的にいずれかを選択して設定する電子メール作成方法。
【請求項１２】
前記撮像手段が撮像している画像データを前記記憶手段が記録するように制御するに際して、特定キーが押下されたことを、前記所定のアクションとして検出する請求項１１記載の電子メール作成方法。
【請求項１３】
前記撮像手段が撮像している画像データを前記記憶手段が記録するように制御するに際して、特定キーの名称が音声入力されたことを、前記所定のアクションとして検出する請求項１１記載の電子メール作成方法。
【請求項１４】
前記撮像手段が撮像している画像データを前記記憶手段が記録するように制御するに際して、実施された前記所定のアクションに宛先アドレスが対応付けられていない場合、前記画像データの前記記憶手段による記録を禁止する請求項１１記載の電子メール作成方法。
【請求項１５】
前記撮像手段が撮像している画像データを前記記憶手段が記録するように制御するに際して、実施された前記所定のアクションに宛先アドレスが対応付けられていない場合、当該所定のアクションに対応する宛先アドレスの入力を受け付ける請求項１１記載の電子メール作成方法。
【請求項１６】
前記撮像手段が撮像している画像データを前記記憶手段が記録するように制御するに際して、前記特定キーが押下されている間、前記撮像手段により撮像される画像データを、表示手段に表示する請求項１２記載の電子メール作成方法。
【請求項１７】
被写体の画像データを撮像する撮像手段の動作中に、前記画像データの記録を指示するキーが押下されたとき、前記撮像手段に対して当該撮像手段が撮像している画像データを前記記憶手段が記録するように制御すると共に、前記キーが押下されている間は前記撮像手段により撮像される画像データを表示手段に表示する撮像方法であって、
送信相手の写真を特定キーのアイコンとして使用できるようにするとともに特定キーとメールアドレスとを対応付けた特定キー登録情報の本文に複数文登録し、複数の本文を読み出し、いずれかをランダムに新規メールに設定するかまたは、循環的にいずれかを選択して設定する撮像方法。
【請求項１８】
所定のアクションと宛先アドレスとを対応付けた登録情報を記憶手段に格納する処理と、
被写体の画像データを撮像する撮像手段の動作中に前記所定のアクションが実施されたことに応じて、前記撮像手段に対して当該撮像手段が撮像している画像データを前記記憶手段が記録するように制御すると共に、当該所定のアクションに対応付けて前記登録情報に登録される宛先アドレスを宛先として設定し、前記記録された画像データを添付した電子メールを作成する処理と、
送信相手の写真を特定キーのアイコンとする処理と、
特定キーとメールアドレスとを対応付けた特定キー登録情報の本文に複数文登録し、複数の本文を読み出し、いずれかをランダムに新規メールに設定するかまたは、循環的にいずれかを選択して設定する処理と、
をコンピュータに実行させるプログラムを記録するプログラム記録媒体。
【請求項１９】
前記撮像手段が撮像している画像データを前記記憶手段が記録するように制御するに際して、特定キーが押下されたことを、前記所定のアクションとして検出する処理
をコンピュータに実行させるプログラムを記録する請求項１８記載のプログラム記録媒体。
【請求項２０】
前記撮像手段が撮像している画像データを前記記憶手段が記録するように制御するに際して、特定キーの名称が音声入力されたことを、前記所定のアクションとして検出する処理
をコンピュータに実行させるプログラムを記録する請求項１８記載のプログラム記録媒体。
【請求項２１】
前記撮像手段が撮像している画像データを前記記憶手段が記録するように制御するに際して、実施された前記所定のアクションに宛先アドレスが対応付けられていない場合、前記画像データの前記記憶手段による記録を禁止する処理
をコンピュータに実行させるプログラムを記録する請求項１８記載のプログラム記録媒体。
【請求項２２】
前記撮像手段が撮像している画像データを前記記憶手段が記録するように制御するに際して、実施された前記所定のアクションに宛先アドレスが対応付けられていない場合、当該所定のアクションに対応する宛先アドレスの入力を受け付ける処理
をコンピュータに実行させるプログラムを記録する請求項１８記載のプログラム記録媒体。
【請求項２３】
前記撮像手段が撮像している画像データを前記記憶手段が記録するように制御するに際して、前記特定キーが押下されている間、前記撮像手段により撮像される画像データを、表示手段に表示する処理
をコンピュータに実行させるプログラムを記録する請求項１９記載のプログラム記録媒体。
【発明の詳細な説明】
【技術分野】
【０００１】
本発明は、操作性を改善した通信装置に関するものである。
【背景技術】
【０００２】
近年、カメラ部を備えた携帯通信端末を用いて被写体を撮影し、撮影により取得された画像データを電子メールに添付して送信するといったことが一般に行われている。この動作は、通常、次のような手順により実施される。
すなわち、ユーザは、まず、携帯通信端末のカメラ部を起動する。カメラ部は、被写体の画像データを撮像すると共に、撮像した画像データを表示器に表示する。ユーザは、表示器を見ながら、シャッターボタンを押下することにより写真撮影を実施する。シャッターボタンの押下に応じて、表示器に表示される画像データが、メモリに記録される。次に、ユーザは、撮像モードを終了する操作を行うと共に、電子メール機能を起動する。ユーザは、新規メールを作成すると共に、記録された画像データを電子メールの添付ファイルとして指定する。そして、ユーザは、宛先アドレス、メール本文を入力した後に、メール送信操作を実行する。
上記操作により、ユーザは、カメラ部により被写体を撮影し、撮影により取得された画像データを添付した電子メールを送信することができる。しかしながら、ユーザは、被写体の画像データが添付された電子メールを送信するために、何回もの操作が必要とされる。よって、ユーザにとって操作性が悪いという問題があった。
例えば、特開２００４−１５３４５３号公報、特開２００４−２８９８７９号公報および特開２００５−１００１９１号公報は、上記問題を解決する装置を記載する。特開２００４−１５３４５３号公報は、折りたたみ式の携帯端末装置の閉状態において、背面の表示面に選択された画像を表示した状態で、その携帯端末装置が開状態にされると、メール機能を自動的に起動する携帯端末装置を開示する。携帯端末装置は、表示面に新規メールの作成画面を表示すると共に、選択した画像データをメールに自動添付する。
特開２００４−２８９８７９号公報は、カメラにより撮像された静止画像が表示器に表示されている撮像モード中にメール送信操作が行われると、メール送信モードを起動する移動通信端末を開示する。移動通信端末は、メール送信モードが起動された状態で、ユーザがメール送信に必要な情報を入力すると共にメール本文を作成すると、このメール本文に表示器に表示中の静止画像の符号化データを添付すると共に、メールを送信する。
特開２００５−１００１９１号公報は、画像添付メールの送信処理モードにおいて、予め設定されたキー操作がなされたときに、カメラ機能を起動すると共に画像データを記録する移動通信端末を開示する。移動通信端末は、記録された画像データをメールに添付すると共に、予め上記キーに対応付けられた宛先に送信する。
【発明の概要】
【０００３】
しかしながら、上記特開２００４−１５３４５３号公報および特開２００４−２８９８７９号公報に記載の装置は、撮像モードにおいて自動的にメール機能を起動すると共に、画像データを添付することはできるが、メールの宛先については、ユーザの操作を必要とする。よって、上記公報に開示された係る装置は、依然操作性が悪いという課題がある。
また、上記特許文献３に記載の装置によれば、ユーザは、まず、メール送信機能を起動し、その後にカメラを起動する。ユーザがシャッターキーを押下すると、装置は、カメラにより撮像され、記録された画像データをメールに添付すると共に、該メールを送信する。したがって、ユーザは、撮影したい被写体が目の前にある場合に、まずメール送信機能を起動し、その後にカメラを起動するという手順を踏まなければならない。よって、上記公報に開示された係る装置は、やはり操作性が悪いという課題がある。
本願発明は、上記課題を鑑みてなされたものであり、画像データを添付した電子メールを送信する際の操作性をより改善した通信装置、電子メール作成方法、撮像方法、プログラム記録媒体および撮像プログラム記録媒体を提供することを主要な目的とする。
課題を解決するための手段
本発明の第１の通信装置は、被写体の画像データを撮像する撮像手段と、所定のアクションと宛先アドレスとを対応付けた登録情報を格納する記憶手段と、撮像手段の動作中に所定のアクションが実施されたことに応じて、撮像手段に対して撮像手段が撮像している画像データを記憶手段が記録するように制御すると共に、所定のアクションに対応付けて登録情報に登録される宛先アドレスを宛先として設定し、記録された画像データを添付した電子メールを作成する制御手段とを備える。
本発明の第１の電子メール作成方法は、所定のアクションと宛先アドレスとを対応付けた登録情報を記憶手段に記憶し、被写体の画像データを撮像する撮像手段の動作中に所定のアクションが実施されたことに応じて、撮像手段に対して撮像手段が撮像している画像データを記憶手段が記録するように制御すると共に、所定のアクションに対応付けて登録情報に登録される宛先アドレスを宛先として設定し、記録された画像データを添付した電子メールを作成する。
本発明の第１の撮像方法は、被写体の画像データを撮像する撮像手段の動作中に、画像データの記録を指示するキーが押下されたとき、撮像手段に対して撮像手段が撮像している画像データを記憶手段が記録するように制御すると共に、キーが押下されている間は撮像手段により撮像される画像データを表示手段に表示する。
なお同目的は、上記の各構成を有する通信装置、電子メール作成方法および撮像方法を、コンピュータによって実現するコンピュータ・プログラム、およびそのコンピュータ・プログラムが格納されている、コンピュータ読み取り可能な記憶媒体によっても達成される。
発明の効果
この発明によれば、画像データを添付した電子メールを送信する際の操作性をより改善することができるという効果が得られる。
【図面の簡単な説明】
【０００４】
図１は、本発明の第１の実施形態に係る携帯通信端末の構成を示すブロック図である。
図２は、本発明の第１の実施形態に係る携帯通信端末のハードウエア構成を示す図である。
図３は、ユーザによる特定キーの登録動作を示すフローチャートである。
図４は、本発明の第１の実施形態に係る携帯通信端末の記憶部に格納される特定キー登録情報を示す図である。
図５は、本発明の第１の実施形態に係る携帯通信端末の制御部の動作を示すフローチャートである。
図６は、本発明の第２の実施形態に係る携帯通信端末の制御部の動作を示すフローチャートである。
図７は、本発明の第３の実施形態に係る携帯通信端末の記憶部に格納される特定キー登録情報を示す図である。
図８は、特定キー登録情報がキー、宛先アドレスに加えて自動送信オンオフを含むことを示す図である。
図９は、特定キー登録情報が、キー、宛先アドレスに加えて画像情報を含む例を示す図である。
図１０は、特定キー登録情報が、キー、宛先アドレスに加えてスタンプ画像データを含む例を示す図である。
図１１は、本発明の第４の実施形態に係る携帯通信端末の構成を示すブロック図である。
【発明を実施するための最良の形態】
【０００５】
第１実施形態
次に、本発明の実施形態について図面を参照して詳細に説明する。本発明に係る通信装置を、携帯通信端末に適用した実施例により、以下の実施形態を説明する。
図１は、本発明の第１の実施形態に係る携帯通信端末１００の構成を示すブロック図である。図１に示すように、携帯通信端末１００は、制御部１０１、無線通信部１０２、操作部１０３、表示部１０４、カメラ部１０５、記憶部１０６、音声処理部１０７、マイク１０８およびスピーカ１０９を備える。
図１の携帯通信端末１００の制御部１０１は、コンピュータにより実現した場合、図２に例示するハードウエア構成を有する。図２に示す構成は、ＣＰＵ（Ｃｅｎｔｒａｌ  Ｐｒｏｃｅｓｓｉｎｇ  Ｕｎｉｔ）７０、メモリ等の記憶媒体７１および記憶媒体７１に含まれるプログラム７２を備える。携帯通信端末１００のＣＰＵ７０は、各種ソフトウエア・プログラム（コンピュータ・プログラム）を実行することにより、携帯通信端末１００の全体的な動作を司る。本実施形態および以下に示す他の実施形態において、ＣＰＵ７０が、メモリ等の記憶媒体７１を適宜参照しながら、以下に示す携帯通信端末１００が備える各モジュール（各部）の動作を制御する。
より具体的には、ＣＰＵ７０は、メモリ等の記憶媒体７１を適宜参照しながら、携帯通信端末１００が備える制御部１０１の機能を実施するソフトウエア・プログラムを実行することにより、無線通信部１０２、操作部１０３、カメラ部１０５等のハードウエアの動作を制御する。
制御部１０１は、携帯通信端末１００の各部の制御を行う。無線通信部１０２は、アンテナを介して図示しない無線基地局装置との間で、無線により情報の送受信を行う。操作部１０３は、テンキー、方向キー、決定キー、サイドキー等を含み、携帯通信端末１００に対する利用者からの各種情報入力を受け付ける。表示部１０４は、画像、図形、文字、記号などを表示する。カメラ部１０５は、被写体の画像データを撮像する。ここで、撮像とは、被写体の画像データを取り込むと共に、取り込んだ画像データを表示部１０４に表示することである。記憶部１０６は、電話帳情報、送受信メール情報、アプリケーションプログラム情報、撮影画像データ、各種設定情報等を格納する。音声処理部１０７は、送話部であるマイク１０８と、受話部であるスピーカ１０９とを介して入出力された音声信号を処理する。
携帯通信端末１００は、カメラ部１０５が動作中に、ユーザにより特定キーが押下されると、カメラ部１０５により撮像される、すなわち表示部１０４に表示される画像データを記憶部１０６に記録すると共に、記録された画像データを添付した電子メールを容易に作成できる。カメラ部１０５は、特定キー以外に、決定キー、サイドキー等が押下されると、撮像している画像データを記憶部１０６に記録する。
ここで、特定キーについて説明する。特定キーは、例えばテンキーであり、カメラ部１０５により撮像される画像データの記録、電子メールの作成、画像データの添付、および当該特定キーに対応付けられたメールアドレスの設定を指示する。特定キーには、所望のメールアドレスが予め対応付けられている。
図３は、特定キーとメールアドレスとの対応付け動作を示すフローチャートである。図４は、ユーザにより作成された特定キーとメールアドレスとの対応付け情報、すなわち特定キー登録情報（登録情報）１０を示す図である。特定キー登録情報１０は、特定キー１１と宛先アドレス１２を含む。ここでは、操作部１０３のテンキーを特定キーとする。図３、図４を参照して、特定キーとメールアドレスとの対応付けについて説明する。
ユーザは、操作部１０３を操作することにより、特定キー登録機能を起動する（ステップＳＴ２０１）。制御部１０１は、表示部１０４に、テンキー「１」、「２」・・・「０」を表示すると共に、各キーに対応付けるメールアドレスの入力画面を表示する（ステップＳＴ２０２）。ユーザは、テンキーに対応付けたいメールアドレスを入力する（ステップＳＴ２０３）。例えば、テンキーの「１」に対応するメールアドレスとして、「ａａａ＠ｂｂｂ．ｃｏｍ」を入力する。このとき、ユーザは直接メールアドレスを入力してもよいし、アドレス帳から選択してもよい。
制御部１０３は、特定キーとメールアドレスとを対応付けた特定キー登録情報１０を、記憶部１０６に保存する（ステップＳＴ２０４）。以上の動作により、制御部１０３は、図４に示すような特定キー登録情報１０を作成する。
図５は、携帯通信端末１００の動作を示すフローチャートである。図５を参照して、その動作について説明する。なお、ここでは、記憶部１０６は、図４に示す特定キー登録情報１０を格納する。
ユーザが操作部１０３を操作することによりカメラ部１０５の起動指示を入力すると、制御部１０１は、カメラ部１０５を起動する。制御部１０１は、カメラ部１０５により撮像される画像データが表示部１０４に表示される撮像モードであるか否かを判断し（ステップＳＴ３０２）、撮像モードであれば、ユーザからのキーの押下を受け付ける。ユーザは、表示部１０４に表示される画像データを見ながら、撮影キーを押下する。ここで、撮影キーには、通常の写真撮影を指示する撮影キーとしての機能を有する決定キーまたはサイドキーと、撮影により記録された画像データを電子メールに添付すると共に送信することを指示する特定キーとがある。ユーザは、通常の写真撮影をしたい場合、撮影キーとしての機能を有する決定キーまたはサイドキーを押下する。ユーザは、撮影により記録された画像データを電子メールに添付すると共に送信したい場合、特定キーを押下する。
制御部１０１は、撮影キーが押下されたことを検出すると（ステップＳＴ３０３）、その撮影キーが特定キーか否かを判断する（ステップＳＴ３０４）。撮影キーが特定キーでない場合、すなわち決定キーまたはサイドキーである場合、当該キーの押下は、通常の写真撮影の指示を示す。よって、制御部１０１は、撮影キーが押下されたことに応じて、カメラ部１０５に対して、カメラ部１０５が撮像している画像データを記憶部１０６が記録するように制御する。カメラ部１０５は、制御部１０１からの指示に応じて、撮像している画像データを記憶部１０６に記録する（ステップＳＴ３０５）。その後、制御部１０１は、処理をステップＳＴ３０２に戻す。
一方、ステップＳＴ３０４において押下された撮影キーが特定キーである場合、制御部１０１は、そのキーを識別すると共に、記憶部１０６に格納される特定キー登録情報１０に、そのキーに対応する宛先アドレスが登録されているか否かを検索する（ステップＳＴ３０６）。宛先アドレスが登録されていない場合（ステップＳＴ３０７でＮｏ）、制御部１０１は、表示部１０４にその旨を表示する（ステップＳＴ３０８）と共に、処理をステップＳＴ３０２に戻す。このとき、カメラ部１０５は、撮像している画像データの記録を行わない。一方、上記キーに対応する宛先アドレスが登録されている場合（ステップＳＴ３０７でＹｅｓ）、制御部１０１は、その宛先アドレスを読み出す（ステップＳＴ３０９）と共に、カメラ部１０５に対して、カメラ部１０５が撮像している画像データを記憶部１０６が記録するように制御する。カメラ部１０５は、制御部１０１からの指示に応じて、撮像している画像データを記憶部１０６に記録する（ステップＳＴ３１０）。
そして、制御部１０１は、メーラを起動すると共に、新規メール作成モードに移行する（ステップＳＴ３１１）。制御部１０１は、特定キー登録情報１０から読み出された宛先アドレスを、新規メールの宛先として設定する（ステップＳＴ３１２）。制御部１０１は、ステップＳＴ３１０において記録された画像データを、そのメールに添付する（ステップＳＴ３１３）。
続いて、ユーザは、上記のように宛先アドレスが設定され、画像データが添付された新規メールに、タイトルと本文を入力する（ステップＳＴ３１４）。そして、ユーザが送信ボタンを押下すると（ステップＳＴ３１５）、制御部１０１は、電子メールを送信する（ステップＳＴ３１６）。制御部１０１は、撮像モードの終了指示を受けると、処理を終了し、受けなければ処理をステップＳＴ３０２に戻す（ステップＳＴ３１７）。
以上の動作により、ユーザは、カメラ部１０５を起動した後に、特定キーを押下することのみにより、撮像される画像データの記録、新規メール作成モードの起動、画像データの添付および宛先アドレスの設定を実施することができる。
ここで、制御部１０１は、宛先アドレス登録受付機能を有してもよい。すなわち、制御部１０１は、ステップＳＴ３０７において特定キー登録情報１０に宛先アドレスが登録されていない場合、その旨を表示部１０４に表示すると共に、宛先アドレスの登録を促すモードに移行してもよい。ユーザは、このモードにおいて、押下した特定キーに対応付けたいメールアドレスを直接入力してもよいし、アドレス帳から選択してもよい。制御部１０１は、宛先アドレスが入力されると、この宛先アドレスを押下された特定キーに対応付けると共に、記憶部１０６の特定キー登録情報１０に登録する。また、制御部１０１は、宛先アドレスの登録を促すモードに移行する前に、特定キー登録機能のヘルプを表示してもよい。これにより、制御部１０１は、当該機能を知らないユーザに、その機能を知らせることができる。
制御部１０１は、プレビュー機能を有してもよい。すなわち、ステップＳＴ３０３において、ユーザが撮影キーを長押しした場合、制御部１０１は、押下されている間、カメラ部１０５により記録された画像データを表示部１０４に表示し続けてもよい。制御部１０１は、ユーザが撮影キーから指を離したときに、ステップＳＴ３０４の処理に遷移してもよい。このように、ユーザが撮影キーを押下している間、制御部１０１がプレビュー表示を行うことにより、ユーザは、記録された画像データを確認するための再生操作を別途行う必要がない。よって、操作性がさらに改善される。このとき、ユーザが画像データの記録を望まない場合に例えばクリアボタンを押下すると、制御部１０１は、その画像データを削除してもよい。
また、特定キーとして、上述したようにテンキーのようなハードキーが割り当てられてもよいし、ソフトキーを割り当てられてもよい。例えば、表示部１０４がタッチパネルで構成されると共に、制御部１０１は、特定キーとなる数字キーを表示部１０４に表示してもよい。ユーザは、表示部１０４に表示される画像データを見ながら、数字キーをタッチすることにより、撮影を指示することができる。また、制御部１０１は、数字キーの代わりにアイコンを表示してもよい。制御部１０１は、例えば、送信相手の写真を特定キーのアイコンとして使用してもよい。この場合、ユーザは送信相手のメールアドレスを登録した数字キーの番号を覚えていなくても、一目で認識できる。また、制御部１０１が、表示部１０４上にソフトキーを特定キーとして表示すると、ユーザは、折り畳み型やスライド型の携帯通信端末において閉状態のときにわざわざ開状態にしなくても、特定キーを押下することができる。したがって、操作性がさらに改善される。
なお、上述した画像データは、静止画でも動画でもよい。動画の場合、カメラ部１０５は、例えば、図５のステップＳＴ３０３において、ユーザが撮影キーを押下したときに動画撮影を開始すると共に、ユーザが撮影キーから指を離したときに動画撮影を終了してもよい。
以上のように、第１の実施形態によれば、ユーザは、予め特定キーに宛先アドレスを対応付けて登録し、制御部１０１は、撮像モードのときに特定キーが押下されたことに応じて、カメラ部１０５に対してカメラ部１０５が撮像している画像データを記憶部１０６が記録するように制御する。また、制御部１０１は、撮像モードのときに特定キーが押下されたことに応じて、メーラを起動すると共に新規メール作成モードに移行する。そして、制御部１０１は、特定キーに対応する宛先アドレスを新規メールの宛先として設定すると共に、記録された画像データを作成されたメールに添付する。この構成により、ユーザは、撮像モードにおいて一度キー押下することのみにより、画像データの記録、新規メール作成モードの起動、宛先アドレスの設定、画像データの添付ができるので、画像データを添付したメールを送信する際の操作性をより改善することができるという効果が得られる。
第２の実施形態
第２の実施形態では、音声入力に応じて、カメラ部が撮像している画像データの記録を行うことについて説明する。
図６は、第２の実施形態に係る携帯通信端末１００の動作を示すフローチャートである。図６を参照して、その動作について説明する。なお、ここでは、記憶部１０６は、図４に示す特定キー登録情報１０を格納する。
ユーザが操作部１０３を操作してカメラ部１０５の起動指示を入力すると、制御部１０１は、カメラ部１０５を起動する。制御部１０１は、撮像モードであるか否かを判断し（ステップＳＴ３０２）、撮像モードであれば、マイク１０８を起動する（ステップＳＴ４０２）。表示部１０４には、カメラ部１０５が撮像する画像データが表示される。ユーザは、表示部１０４に表示される画像データを見ながら、例えば「いち」、「に」など、特定キーの名称を発声する（ステップＳＴ４０３）。マイク１０８は、音声が入力されると、その音声情報を音声処理部１０７に通知する（ステップＳＴ４０４）。音声処理部１０７は、取得した音声を認識すると共に、その結果を、制御部１０１に通知する（ステップＳＴ４０５）。
制御部１０１は、音声認識の成否を判断し、成功しなかった場合（ステップＳＴ４０６でＮｏ）、その旨を表示部１０４に表示する（ステップＳＴ４０７）と共に、処理をステップＳＴ４０３に戻す。音声認識に成功した場合（ステップＳＴ４０６でＹｅｓ）、制御部１０１は、認識された音声により示される特定キーに対応する宛先アドレスが、記憶部１０６の特定キー登録情報１０に登録されているか否かを検索する（ステップＳＴ４０８）。上記宛先アドレスが登録されていない場合（ステップＳＴ４０９でＮｏ）、制御部１０１は、表示部１０４にその旨を表示する（ステップＳＴ４１０）と共に、処理をステップＳＴ４０３に戻す。このとき、カメラ部１０５は、撮像している画像データの記録を行わない。一方、上記宛先アドレスが登録されている場合（ステップＳＴ４０９でＹｅｓ）、制御部１０１は、その宛先アドレスを読み出す（ステップＳＴ４１１）と共に、カメラ部１０５に対して、カメラ部１０５が撮像している画像データを記憶部１０６が記録するように制御する。カメラ部１０５は、制御部１０１からの指示に応じて、撮像している画像データを記憶部１０６に記録する（ステップＳＴ４１２）。
以降、ステップＳＴ４１３からステップＳＴ４１９までの動作は、第１の実施形態の図４のステップＳＴ３１１からステップＳＴ３１７と同様であるため、その説明を省略する。上述したように、ユーザは、特定キーの名称を発声することにより、カメラ部１０５により撮像される画像データの記録、新規電子メールの作成、記録された画像データの添付、および当該特定キーに対応付けられたメールアドレスの電子メールへの設定を指示することができる。
ここで、図４に示す特定キー登録情報１０において、特定キーに「１」、「２」などのテンキーを指定する代わりに、例えば「お父さん」、「お母さん」など送信相手の名称を指定してもよい。この場合、ユーザは、送信相手の名称を発声すればよいので、送信相手のメールアドレスを対応させた特定キーを覚えていなくても、その相手に送る新規メールを作成することができる。よって、第２の実施形態に係る携帯通信端末１００によれば、操作性がより改善される。
以上のように、第２の実施形態によれば、音声処理部１０７は、入力された音声を認識し、制御部１０１は、認識された音声により示される特定キーに対応する宛先アドレスを新規メールに設定する。この構成により、ユーザは、特定キーを押下する必要がないので、操作性がより改善されるという効果が得られる。
第３の実施形態
第３の実施形態では、第１の実施形態で説明した特定キー登録情報１０の変形例について説明する。
図７は、第３の実施形態に係る携帯通信端末１００の記憶部１０６に格納される特定キー登録情報２０を示す図である。図７に示すように、特定キー登録情報２０は、特定キー２１、宛先アドレス２２、タイトル２３および本文２４を含む。特定キー２１および宛先アドレス２２は、第１の実施形態で説明したものと同様である。タイトル２３は、宛先アドレス２２に送信するメールに自動的に付加するタイトルの内容を示す。本文２４は、同じく本文の内容を示す。
図７の特定キー登録情報２０が記憶部１０６に格納される場合、制御部１０１は、図５のステップＳＴ３０９において、特定キー登録情報２０から宛先アドレス２２と共にタイトル２３と本文２４を読み出す。制御部１０１は、読み出した宛先アドレス２２と共に、タイトル２３と本文２４を、ステップＳＴ３１２において新規メールに設定する。
このように、ユーザが、特定キー登録情報２０に宛先アドレス２２と共にタイトル２３、本文２４を予め登録することにより、タイトル、本文も新規メールに設定される。よって、第３の実施形態に係る携帯通信端末１００によれば、操作性がより改善される。
図８は、図７の特定キー登録情報２０が、さらに自動送信オンオフ２５を含む場合を示す図である。自動送信オンオフ２５には、「オン」または「オフ」が設定される。「オン」が設定される場合、特定キー２１が押下されたときに、自動的に宛先アドレス２２にメールが送信される。「オフ」が設定される場合、自動送信は行われない。
図８に示す特定キー登録情報３０が記憶部１０６に格納される場合、制御部１０１は、図５のステップＳＴ３０９において、特定キー登録情報２０から宛先アドレス２２、タイトル２３、本文２４と共に、自動送信オンオフ２５を読み出す。制御部１０１は、ステップＳＴ３１２において、読み出した宛先アドレス２２と共に、タイトル２３と本文２４を新規メールに設定する。自動送信オンオフ２５が「オン」である場合、制御部１０１は、ステップＳＴ３１５においてメール送信ボタンの押下を判断することなく、ステップＳＴ３１６のメール送信処理を行う。自動送信オンオフ２５が「オフ」である場合、制御部１０１は、自動送信を行わず、第１の実施形態と同様の動作を行う。このように、ユーザが自動送信するか否かを予め登録することにより、送信キーを押下する操作が減るので、操作性がより改善される。このような自動送信の設定は、例えば、撮影した画像データを、デジタルフォトフレームに送信する場合などに、特に有益である。
ここで、特定キー登録情報２０の本文２４に、複数文が登録されてもよい。制御部１０１は、特定キー登録情報２０から複数の本文２４を読み出した場合、それらのうちいずれかをランダムに新規メールに設定してもよいし、循環的にいずれかを選択して設定してもよい。このように、複数文が登録されることは、例えば、ユーザがブログなどに頻繁に画像データをアップロードする場合に、特に有益である。すなわち、ユーザが画像データをアップロードする際に、毎回同じ本文でなく複数の本文からランダムに選択された本文を、画像データと共にアップロードすることができるので、文章に変化を付けることができる。同様に、タイトルも複数登録されてもよい。
図９は、特定キー２１、宛先アドレス２２および画像情報３１を含む特定キー登録情報３０を示す図である。画像情報３１には、例えば解像度３２、ファイルサイズ３３が含まれる。ユーザは、送信相手の受信端末の表示機能に適合するように、解像度３２、ファイルサイズ３３を予め設定する。
図９の特定キー登録情報３０が記憶部１０６に格納される場合、制御部１０１は、図５のステップＳＴ３０９において、特定キー登録情報２０から宛先アドレス２２と共に、画像情報３１を読み出す。そして、ステップＳＴ３１３において、読み出した画像情報３１に適合するように画像データを修正した後に、新規メールに添付する。これにより、ユーザは、送信相手の受信端末の表示機能に応じた画像データを送信できる。
図１０は、キー２１、宛先アドレス２２およびスタンプ画像データ４１を含む特定キー登録情報４０を示す図である。スタンプ画像データ４１には、任意の画像データのファイル名が指定される。例えば、署名用の画像データが指定されてもよい。
図１０の特定キー登録情報４０が記憶部１０６に格納される場合、制御部１０１は、図５のステップＳＴ３０９において、特定キー登録情報２０から宛先アドレス２２と共に、スタンプ画像データ４１を読み出す。制御部１０１は、ステップＳＴ３１３において、読み出したスタンプ画像データ４１を、記録された画像データに重ね合わせる処理（スタンプ処理）を施すと共に、スタンプ処理を施した画像データを新規メールに添付する。これにより、ユーザは、記録された画像データに対して、任意の画像データのスタンプ処理を施すことができる。
なお、図７から図１０に示した特定キー登録情報のいずれかが組み合わされて、使用されてもよい。
以上のように、第３の実施形態によれば、制御部１０１は、予め登録されたタイトル、本文を、新規メールに自動設定するので、操作性がより改善されるという効果が得られる。また、制御部１０１は、予め登録された新規メールの自動送信オンオフの設定に基づいて送信を制御するので、ユーザは送信を指示しなくても自動的に送信することができ、操作性がより改善されるという効果が得られる。また、制御部１０１は、予め登録された新規メールに添付する画像データの解像度およびファイルサイズに基づいて画像データを修正するで、ユーザは送信相手の受信端末の表示機能に応じた画像データを送信できるという効果が得られる。また、制御部１０１は、予め登録された任意のスタンプ画像データを、カメラ部１０５により記録された画像データにスタンプ処理するので、ユーザはスタンプ処理を施した画像データを送信することができるという効果が得られる。
第４の実施形態
図１１は、本発明の第４の実施形態に係る通信装置５０の構成を示すブロック図である。図１１に示すように、通信装置５０は、撮像部５１、記憶部５２、制御部５３を備える。
撮像部５１は、被写体の画像データを撮像する。記憶部５２は、所定のアクションと宛先アドレスとを対応付けた登録情報を格納する。制御部５３は、記憶部５２の動作中に前記所定のアクションが実施されたことに応じて、撮像部５１に対して撮像部５１が撮像している画像データを記憶部５２が記録するように制御すると共に、所定のアクションに対応付けて登録情報に登録される宛先アドレスを宛先として設定し、記録された画像データを添付した電子メールを作成する。
通信装置５０は、上記第１ないし第３の実施形態に係る携帯通信端末１００に相当する。撮像部５１は、同じくカメラ部１０５に相当する。記憶部５２は、同じく記憶部１０６に相当する。制御部５３は、同じく制御部１０１に相当する。
以上のように、第４の実施形態によれば、画像データを添付した電子メールを送信する際の操作性をより改善できるという効果が得られる。
なお、上述した各実施形態を例に説明した本発明は、上述した携帯通信端末１００に対して、その説明において参照したフローチャート（図３、図５、図６）の機能を実現可能なコンピュータ・プログラムを供給した後、そのコンピュータ・プログラムを、当該端末のＣＰＵ７０に読み出して実行することによって達成される。
また、当該端末内に供給されたコンピュータ・プログラムは、読み書き可能なメモリ７１またはハードディスク装置等の記憶デバイス（記憶媒体）に格納すればよい。そして、このような場合において、本発明は、係るコンピュータ・プログラムのコード或いは記憶媒体によって構成される。
以上、実施形態を参照して本願発明を説明したが、本願発明は上記実施形態に限定されるものではない。本願発明の構成や詳細には、本願発明のスコープ内で当業者が理解しうる様々な変更をすることができる。
この出願は、２００９年１２月１７日に出願された日本出願特願２００９−２８５８８６を基礎とする優先権を主張し、その開示の全てをここに取り込む。
【産業上の利用可能性】
【０００６】
本発明は、携帯電話、デジタルカメラ、ＰＨＳ（Ｐｅｒｓｏｎａｌ  Ｈａｎｄｙ−ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）などの通信装置に適用できる。
【符号の説明】
【０００７】
１００  携帯通信端末
１０１  制御部
１０２  無線通信部
１０３  操作部
１０４  表示部
１０５  カメラ部
１０６  記憶部
１０７  音声処理部
１０８  マイク
１０９  スピーカ
【図１】
0005840951.tif 000002
【図２】
0005840951.tif 000003
【図３】
0005840951.tif 000004
【図４】
0005840951.tif 000005
【図５】
0005840951.tif 000006
【図６】
0005840951.tif 000007
【図７】
0005840951.tif 000008
【図８】
0005840951.tif 000009
【図９】
0005840951.tif 000010
【図１０】
0005840951.tif 000011
【図１１】
0005840951.tif 000012